(57)【要約】【課題】  管理システムを構築するためのコストを抑えつつ、産業用機器で生産される製品の数が少ない場合でも産業用機器における異常の発見や異常原因の対策を支援することが可能な画面参照装置、産業用機器、及び画面参照方法を提供することを目的とする。【解決手段】  画面参照装置４は、オペレータにより参照元の織機２が選択されると、その参照元の織機２のメインページを表示し、そして、さらにメインページから操作用ページに切り替えられ参照先の織機２が選択されると、参照元の織機２の操作用ページに対応する参照先の織機２の操作用ページを表示する。【選択図】      図１
2005301916.tif 000002
【特許請求の範囲】
【請求項１】
複数の動作制御用画面または管理用画面が表示される複数の産業用機器とネットワークを介して接続される画面参照装置であって、
前記複数の産業用機器の中から参照元の産業用機器及び参照先の産業用機器をオペレータの入力に基づいて選択する選択手段と、
前記選択手段において選択された前記参照元の産業用機器に表示されるべき画面のうちの第１の画面を表示する第１の表示手段と、
前記選択手段において選択された前記参照先の産業用機器に表示されるべき画面のうちの前記第１の画面に対応する第２の画面を表示する第２の表示手段と、
を備えることを特徴とする画面参照装置。
【請求項２】
請求項１に記載の画面参照装置であって、
前記複数の産業用機器を前記オペレータの入力に基づいて絞り込む絞込み手段を備え、
前記選択手段は、前記絞込み手段で絞り込まれた前記複数の産業用機器の中から前記参照元の産業用機器及び前記参照先の産業用機器を前記オペレータの入力に基づいて選択することを特徴とする画面参照装置。
【請求項３】
請求項１に記載の画面参照装置であって、
前記選択手段は、前記複数の産業用機器の中から前記参照元の産業用機器または前記参照先の産業用機器を前記オペレータの入力に基づいて順次選択する順次選択手段を備えることを特徴とする画面参照装置。
【請求項４】
互いにネットワークを介して接続され、それぞれ複数の動作制御用画面または管理用画面が表示される複数の産業用機器のうちの任意の１台の産業用機器であって、
前記複数の産業用機器の中から参照先の産業用機器をオペレータの入力に基づいて選択する選択手段と、
当該産業用機器に表示されるべき画面のうちの第１の画面を表示する第１の表示手段と、
前記選択手段において選択された前記参照先の産業用機器に表示されるべき画面のうちの前記第１の画面に対応する第２の画面を表示する第２の表示手段と、
を備えることを特徴とする産業用機器。
【請求項５】
請求項４に記載の産業用機器であって、
前記複数の産業用機器を前記オペレータの入力に基づいて絞り込む絞込み手段を備え、
前記選択手段は、前記絞込み手段で絞り込まれた前記複数の産業用機器の中から前記参照先の産業用機器を前記オペレータの入力に基づいて選択することを特徴とする産業用機器。
【請求項６】
請求項４に記載の産業用機器であって、
前記選択手段は、前記複数の産業用機器の中から前記参照先の産業用機器をオペレータの入力に基づいて順次選択する順次選択手段を備えることを特徴とする産業用機器。
【請求項７】
互いにネットワークを介して接続され、それぞれ複数の動作制御用画面または管理用画面が表示される複数の産業用機器の中から参照元の産業用機器及び参照先の産業用機器をオペレータの入力に基づいて選択し、
前記参照元の産業用機器に表示されるべき画面のうちの第１の画面を表示装置に表示し、
前記参照先の産業用機器に表示されるべき画面のうちの前記第１の画面に対応する第２の画面を前記表示装置に表示することを特徴とする画面参照方法。
【発明の詳細な説明】
【技術分野】
【０００１】
本発明は、複数の産業用機器とネットワークを介して接続され、産業用機器に表示される画面を表示する画面参照装置、産業用機器、及び画面参照方法に関する。
【背景技術】
【０００２】
近年のデータ通信技術の発展により、織機などの産業用機器は、ＷｅｂサーバやＷｅｂブラウザを備え、ＬＡＮ（Ｌｏｃａｌ  Ａｒｅａ  Ｎｅｔｗｏｒｋ）などのネットワークに接続されるようになった。
そして、このように複数の産業用機器が互いにネットワーク介して接続される生産システムにおいて、産業用機器と接続される管理コンピュータから産業用機器に制御データが送信され、その制御データに基づいて産業用機器の動作が制御されるものがある（例えば、特許文献１参照）。
【０００３】
また、上記のような生産システムにおいて、産業用機器の稼動データが産業用機器に接続される集中制御コンピュータなどに蓄積され、その蓄積された稼動データに基づいて産業用機器が停止した際の停止原因を推定したり、停止原因別の停止回数や産業用機器の稼働率などを求めたりするものがある（例えば、特許文献２または特許文献３参照）。
【特許文献１】特開平７−４８７６３号      （第３〜４頁、第１〜１２図）
【特許文献２】特許第２９３４０２６号      （第２〜４頁、第１〜５図）
【特許文献３】特開２００２−８７７０３号  （第３〜６頁、第１〜１１図）
【発明の開示】
【発明が解決しようとする課題】
【０００４】
しかしながら、上述したように、産業用機器に接続される管理コンピュータや集中制御コンピュータなどにおいて産業用機器の動作制御を行ったり、産業用機器の異常などを判別したりするためには、産業用機器の過去の稼動データを蓄積する必要がある。そのため、過去の稼動データを管理コンピュータや集中制御コンピュータなどで集中管理する場合では、エキスパートシステムや知識データベースなどを利用した大規模な管理システムが必要となり、その管理システムを構築するために多くのコストがかかるという問題がある。
【０００５】
また、産業用機器で生産される製品の数が少ない場合では、稼動データの蓄積量が少なくなる。そのため、産業用機器が停止した際の停止原因を推定したり、停止原因別の停止回数や産業用機器の稼働率などを求めたりすることが困難になるという問題がある。
そこで、本発明では、管理システムを構築するためのコストを抑えつつ、産業用機器で生産される製品の数が少ない場合でも産業用機器における異常の発見や異常原因の対策を支援することが可能な画面参照装置、画面参照方法、及び画面参照装置に接続される産業用機器を提供することを目的とする。
【課題を解決するための手段】
【０００６】
上記の課題を解決するために本発明では、以下のような構成を採用した。
すなわち、本発明の画面参照装置は、複数の動作制御用画面または管理用画面が表示される複数の産業用機器とネットワークを介して接続される画面参照装置であって、前記複数の産業用機器の中から参照元の産業用機器及び参照先の産業用機器をオペレータの入力に基づいて選択する選択手段と、前記選択手段において選択された前記参照元の産業用機器に表示されるべき画面のうちの第１の画面を表示する第１の表示手段と、前記選択手段において選択された前記参照先の産業用機器に表示されるべき画面のうちの前記第１の画面に対応する第２の画面を表示する第２の表示手段とを備えることを特徴とする。
【０００７】
これにより、参照元の産業用機器を選択してその参照元の産業用機器に表示されるべき画面のうちの第１の画面を表示し、さらに参照先の産業用機器を選択するだけで、参照先の産業用機器に表示されるべき画面の選択を行うことなく、自動的に参照先の産業用機器に表示されるべき画面のうちの第１の画面に対応する第２の画面を表示することができる。
【０００８】
また、上記画面参照装置は、前記複数の産業用機器を前記オペレータの入力に基づいて絞り込む絞込み手段を備え、前記選択手段は、前記絞込み手段で絞り込まれた前記複数の産業用機器の中から前記参照元の産業用機器及び前記参照先の産業用機器を前記オペレータの入力に基づいて選択するように構成してもよい。
【０００９】
また、上記画面参照装置の選択手段は、前記複数の産業用機器の中から前記参照元の産業用機器または前記参照先の産業用機器を前記オペレータの入力に基づいて順次選択する順次選択手段を備えるように構成してもよい。
また、本発明の産業用機器は、互いにネットワークを介して接続され、それぞれ複数の動作制御用画面または管理用画面が表示される複数の産業用機器のうちの任意の１台の産業用機器であって、前記複数の産業用機器の中から参照先の産業用機器をオペレータの入力に基づいて選択する選択手段と、当該産業用機器に表示されるべき画面のうちの第１の画面を表示する第１の表示手段と、前記選択手段において選択された前記参照先の産業用機器に表示されるべき画面のうちの前記第１の画面に対応する第２の画面を表示する第２の表示手段とを備えることを特徴とする。
【００１０】
また、上記産業用機器は、前記複数の産業用機器を前記オペレータの入力に基づいて絞り込む絞込み手段を備え、前記選択手段は、前記絞込み手段で絞り込まれた前記複数の産業用機器の中から前記参照先の産業用機器を前記オペレータの入力に基づいて選択するように構成してもよい。
【００１１】
また、上記産業用機器の選択手段は、前記複数の産業用機器の中から前記参照先の産業用機器をオペレータの入力に基づいて順次選択する順次選択手段を備えるように構成してもよい。
また、本発明の画面参照方法は、互いにネットワークを介して接続され、それぞれ複数の動作制御用画面または管理用画面が表示される複数の産業用機器の中から参照元の産業用機器及び参照先の産業用機器をオペレータの入力に基づいて選択し、前記参照元の産業用機器に表示されるべき画面のうちの第１の画面を表示装置に表示し、前記参照先の産業用機器に表示されるべき画面のうちの前記第１の画面に対応する第２の画面を前記表示装置に表示することを特徴とする。
【発明の効果】
【００１２】
本発明によれば、参照元の産業用機器に表示されるべき画面のうちの第１の画面を表示し参照先の産業用機器を選択するだけで、自動的に参照元の産業用機器に表示されるべき画面のうちの第１の画面に対応する参照先の産業用機器の第２の画面を表示することができるので、オペレータは参照元の産業用機器に表示される画面に対応する参照先の産業用機器に表示される画面を新たに探す必要がなくなる。
【００１３】
これにより、各産業用機器それぞれの過去の設定値などを記録しておかなくても、オペレータによって容易に産業用機器の設定値などを変更させることができるので、産業用機器の設定値などを管理する管理システムに大規模なデータベースなどが必要なくなり、管理システムを構築するためのコストを抑えることができる。
【００１４】
また、各産業用機器それぞれの過去の設定値などを記録しておかなくても、オペレータによって容易に産業用機器の設定値などを変更することができるので、産業用機器で生産される製品の数が少ない場合でも各産業用機器それぞれの設定値の解析を行うことができ、産業用機器における異常の発見や異常原因の対策を支援することができる。
【発明を実施するための最良の形態】
【００１５】
以下、本発明の実施形態を図面を用いて説明する。
図１は、本発明の実施形態の画面参照装置を備える生産システムを示す図である。
図１に示すように、生産システム１は、複数の織機２（００１、００２、００３、００４、・・・）と、織機２の動作を制御する制御装置３と、画面参照装置４と、制御装置３と画面参照装置４とが互いに接続されるネットワーク５とを備えて構成されている。なお、織機２と制御装置３とにより特許請求の範囲の産業用機器を構成するものとする。
【００１６】
上記制御装置３は、記録部６を備え、織機２の稼動データや設定値などを記録部６に記録する。
上記画面参照装置４は、例えば、ＰＣ（Ｐｅｒｓｏｎａｌ  Ｃｏｍｐｕｔｅｒ）などが考えられ、記録部７を備えている。
【００１７】
また、上記画面参照装置４は、オペレータの入力に基づいて制御装置３の記録部６にアクセスし、記録部６に記録される設定値などを記録部７にダウンロードし、そのダウンロードした設定値などをディスプレイなどに表示する。
図２は、制御装置３及び画面参照装置４のハードウェア構成を示す図である。
【００１８】
図２に示すように、制御装置３及び画面参照装置４は、ＣＰＵ（Ｃｅｎｔｒａｌ  Ｐｒｏｃｅｓｓｉｎｇ  Ｕｎｉｔ）２０、メモリ２１、入力装置２２、出力装置２３（表示装置）、外部記録装置２４、媒体駆動装置２５、及びネットワーク接続装置２６を備え、それらはバス２７により互いに接続されている。
【００１９】
なお、例えば、メモリ２１や外部記録装置２４などにより図１に示す記録部６や記録部７が構成されてもよい。
また、メモリ２１は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ、ＳＲＡＭ（Ｓｔａｔｉｃ  Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）などが考えられ、図１に示す織機２の動作制御を行うためのプログラムやネットワーク５を介して送受信されるデータが格納される。
【００２０】
また、ＣＰＵ２０は、メモリ２１に格納されるプログラムを実行することにより必要な処理を行う。なお、ＣＰＵ２０は、メモリ２１に格納されるプログラムを実行することにより、特許請求の範囲における選択手段、第１の表示手段、第２の表示手段、絞込み手段、順次選択手段を構成するものとする。
【００２１】
また、入力装置２２は、例えば、キーボードやマウスなどが考えられ、オペレータからの指示や情報の入力に使用される。
また、出力装置２３は、例えば、ディスプレイ、警告ランプ、スピーカなどが考えられる。
【００２２】
なお、例えば、入力装置２２と出力装置２３とを組み合わせることにより、タッチパネルを構成してもよい。
また、外部記録装置２４は、例えば、磁気ディスク装置、光ディスク装置、光磁気ディスク装置などが考えられる。
【００２３】
また、媒体駆動装置２５は、可搬記録媒体２８を駆動し、その記録内容にアクセスする。なお、可搬記録媒体２８は、例えば、メモリカード、フレキシブルディスク、ＣＤ−ＲＯＭ（Ｃｏｍｐａｃｔ  Ｄｉｓｋ−Ｒｅａｄ  Ｏｎｌｙ  Ｍｅｍｏｒｙ）、光ディスク、光磁気ディスクなどが考えられる。また、可搬記録媒体２８にネットワーク５を介して送信されるデータを記録しておき、必要に応じてそのデータをメモリ２１にロードして使用するように構成してもよい。
【００２４】
また、ネットワーク接続装置２６は、ネットワークインターフェイスにより制御され、例えば、図１に示すネットワーク５に接続してデータ通信に伴うデータ変換を行う。
次に、制御装置３に表示される画面について説明する。
図３は、制御装置３に表示される画面の構成を示す図である。
【００２５】
図３に示すように、制御装置３に表示される画面は階層的に構成されており、メインページ３０が最上位の階層の画面として構成されている。また、メインページ３０の下の階層の画面として操作用ページ３１、設定用ページ３２、及びモニタ用ページ３３が構成されている。また、操作用ページ３１の下の階層の画面として子のページ３４及び３５が構成されている。また、設定用ページ３２の下の階層の画面として子のページ３６及び３７が構成されている。また、モニタ用ページ３３の下の階層の画面として子のページ３８及び３９が構成されている。
【００２６】
次に、記録部７に記録されるデータについて説明する。
図４は、記録部７に記録されるデータベースを示す図である。
図４に示すデータベース４０は、各織機２に関するレコード４１（４１−１、４１−２、４１−３、４１−４、・・・）が多数格納されている。各レコード４１は、例えば、織機２の機台名が記録される機台名領域４２、織機２の通信アドレスが記録されるアドレス領域４３、織機２の現在の状態が記録される状態領域４４、織機２が現在生成している織布の品種が記録される品種領域４５、織機２の生産効率が記録される効率領域４６、織機２で生産される織布の不良の検出率が記録される不良率領域４７、メインページ３０のコンテンツパスが記録されるメインページ領域４８、操作用ページ３１のコンテンツパスが記録される操作用ページ領域４９、・・・、子のページ３９のコンテンツパスが記録される子のページ領域５０を備えている。図４に示す例では、レコード４１−１の機台名領域４２に「００１」、アドレス領域４３に「１９２．１６８．１０．６６」、状態領域４４に「停止」、品種領域４５に「Ａ０００２」、効率領域４６に「９０％」、不良率領域４７に「１．００％」、メインページ領域４８に「ｓｅｔｃｔｒｌ／ｍａｉｎ1．ｈｔｍｌ」、操作用ページ領域４９に「ｓｅｔｃｔｒｌ／ｍａｉｎ１／ｓｏｓａ１．ｈｔｍｌ」、・・・、子のページ領域５０に「ｓｅｔｃｔｒｌ／ｍａｉｎ１／ｍｏｎｉｔｏｒ１／ｋｏｐａｇｅ６１．ｈｔｍｌ」と記録されている。
【００２７】
次に、画面参照装置４における動作について説明する。
図５は、画面参照装置４における動作を説明するためのフローチャートである。
まず、ステップＳ１において、画面参照装置４は、全ての織機２の中から参照の対象となる織機２をオペレータの入力に基づいて絞り込む。
【００２８】
ここで、図６は、全ての織機２の中から参照の対象となる織機２をオペレータの入力に基づいて絞り込む際に、画面参照装置４に表示される画面の一例を示す図である。
図６に示す画面６０には、絞込みウィンドウ画面６１が表示されている。絞込みウィンドウ画面６１には、織機２の現在の状態をオペレータに選択させるための選択領域６２と、織機２が現在生産している織布の品種をオペレータに選択させるための選択領域６３と、織機２の生産効率をオペレータに選択させるための選択領域６４と、織機２の生産効率をオペレータに入力させるための入力枠６５と、織機２の不良率をオペレータに選択させるための選択領域６６と、織機２の不良率をオペレータに入力させるための入力枠６７と、入力された絞込み条件を決定するための絞込みボタン６８とが表示されている。例えば、図６に示す例では、選択領域６２において「故障」が選択され、選択領域６３において「すべて」が選択され、選択領域６４において「９０％以下」が選択され、選択領域６６において「１．５％以上」が選択されている。なお、絞込みウィンドウ画面６１で選択された条件に該当する織機２を図４に示すデータベース４０から見つけることにより織機２を絞り込むようにしてもよい。
【００２９】
次に、ステップＳ２において、画面参照装置４は、ステップＳ１で絞り込まれた織機２の中から参照元の織機２の制御装置３（以下、単に参照元の織機２という）（参照元の産業用機器）をオペレータの入力に基づいて選択し、その参照元の織機２のメインページ３０を表示する。なお、上記参照元の織機２とは、例えば、頻繁に故障や停止が起こる織機２などが考えられる。
【００３０】
図７は、絞り込まれた織機２の中から参照元の織機２をオペレータの入力に基づいて選択する際に、画面参照装置４に表示される画面の一例を示す図である。
図７に示す画面７０には、絞込みウィンドウ画面６１及び選択ウィンドウ画面７１が表示されている。選択ウィンドウ画面７１には、ステップＳ１で絞り込まれた織機２の中からある織機２をオペレータに選択させるための選択領域７２と、オペレータの入力により選択領域７２に表示される織機２を順次選択する選択ボタン７３及び７４が表示されている。
【００３１】
ここで、例えば、オペレータにより参照元の織機２として「００４」の織機２が選択された場合を考える。
オペレータにより参照元の織機２として「００４」の織機２が選択されると、選択領域７２に表示される「００４」の文字が黒から赤に変わり、画面参照装置４に「００４」の織機２のメインページ３０が表示される。
【００３２】
図８は、オペレータにより参照元の織機２として「００４」の織機２が選択された後の画面参照装置４に表示される画面の一例を示す図である。
図８に示す画面８０には、絞込みウィンドウ画面６１、選択ウィンドウ画面７１、及び「００４」の織機２のメインページ３０−００４が表示されている。メインページ３０−００４には、オペレータの入力によりメインページ３０−００４から下の階層の画面に切り替えるための切替ボタン８１が表示されている。
【００３３】
次に、ステップＳ３において、画面参照装置４は、ステップＳ２で選択された参照元の織機２に表示されるべき画面のうちオペレータが参照を希望する画面（第１の画面）を表示する。
ここで、例えば、オペレータが参照を希望する画面として操作用ページ３１が選択された場合を考える。
【００３４】
図９は、オペレータが参照を希望する画面として操作用ページ３１が選択された後に画面参照装置４に表示される画面の一例を示す図である。
図９に示す画面９０には、絞込みウィンドウ画面６１、選択ウィンドウ画面７１、及び「００４」の織機２の操作用ページ３１−００４が表示されている。
【００３５】
次に、ステップＳ４において、画面参照装置４は、ステップＳ１で絞り込まれた織機２の中から参照先の織機２の制御装置３（以下、単に参照先の織機２という）（参照先の産業用機器）をオペレータの入力に基づいて選択し、ステップＳ３で選択された画面に対応する参照先の織機２の画面（第２の画面）を表示する。なお、上記参照先の織機２とは、例えば、生産効率がよく、故障や停止が起こりにくい織機２などが考えられる。
【００３６】
ここで、例えば、オペレータにより参照先の織機２として「００１」の織機２が選択された場合を考える。
オペレータにより参照先の織機２として「００１」の織機２が選択されると、選択領域７２に表示される「００１」の文字が黒から青に変わり、画面参照装置４に「００１」の織機２の操作用ページ３１−００１が表示される。
【００３７】
図１０は、オペレータにより参照先の織機２として「００１」の織機２が選択された後の画面参照装置４に表示される画面の一例を示す図である。
図１０に示す画面１００には、絞込みウィンドウ画面６１、選択ウィンドウ画面７１、「００４」の操作用ページ３１−００４、及び「００１」の操作用ページ３１−００１が表示されている。
【００３８】
すなわち、画面参照装置４は、例えば、選択ウィンドウ画面７１においてオペレータにより参照元の織機２として「００４」の織機２が選択されると、図４に示すデータベース４０のレコード４１−４のメインページ領域４８に記録されるコンテンツパスにアクセスし、メインページ３０−００４を「００４」の織機２の端末装置３からダウンロードして表示する。
【００３９】
次に、画面参照装置４は、例えば、「００４」のメインページ３０−００４において操作用ページ３１−００４に切り替えるための切替ボタン８１がオペレータにより押されると、図４に示すデータベース４０のレコード４１−４の操作用ページ領域４９に記録されるコンテンツパスにアクセスし、操作用ページ３１−００４を「００４」の織機２の制御装置３からダウンロードして表示する。
【００４０】
そして、画面参照装置４は、例えば、選択ウィンドウ画面７１においてオペレータにより参照先の織機２として「００１」の織機２が選択されると、図４に示すデータベース４０のレコード４１−１の操作用ページ領域４９のコンテンツパスにアクセスし、操作用ページ３１−００１を「００１」の織機２の制御装置３からダウンロードして画面１００に操作用ページ３１−００４と共に表示する。
【００４１】
なお、ステップＳ４において、参照先の織機２が選択された後、オペレータの入力によりその選択された参照先の織機２の設定値が参照元の織機２にコピーされるように構成してもよい。
また、例えば、画面参照装置４において、絞込みウィンドウ画面６１、選択ウィンドウ画面７１、「００４」の操作用ページ３１−００４、及び「００１」の操作用ページ３１−００１のうちの１以上の画面が表示されるように構成してもよい。
【００４２】
また、例えば、画面参照装置４において、絞込みウィンドウ画面６１、選択ウィンドウ画面７１、「００４」のメインページ３０−００４、「００４」の操作用ページ３１−００４、「００１」の操作用ページ３１−００１の順番で表示されてもよい。
次に、ステップＳ５において、画面参照装置４は、オペレータの入力に基づいてステップＳ２で選択された参照元の織機２またはステップ４で選択された参照先の織機２を変更する。
【００４３】
ここで、例えば、オペレータにより参照先の織機２が「００１」の織機２から「００２」の織機２に変更された場合を考える。
まず、オペレータにより参照先の織機２が「００１」の織機２から「００２」の織機２に変更されると、そして、選択領域７２に表示される「００１」の文字が青から黒に変わり、「００２」の文字が黒から青に変わる。図１０の画面１００に表示される操作用ページ３１−００１が「００２」の操作用ページ３１に切り替る。
【００４４】
すなわち、例えば、画面参照装置４は、オペレータにより参照先の織機２が「００１」の織機２から「００２」の織機２に変更されると、図４に示すデータベースのレコード４１−２の操作用ページ領域４９に記録されるコンテンツパスにアクセスし、「００２」の織機２の操作用ページ３１を「００１」の織機２の制御装置３からダウンロードして画面１００に操作用ページ３１−００４と共に表示する。
【００４５】
なお、画面参照装置４は、例えば、オペレータにより参照先の織機２として複数の織機２が選択されると、その選択された全ての織機２の画面を表示するように構成してもよい。
また、画面参照装置４は、例えば、オペレータにより参照元の織機２の画面が変更されると、自動的に参照先の織機２の画面もその参照元の織機２の画面に対応して切り替るように構成してもよい。
【００４６】
次に、ステップＳ６において、画面参照装置４は、オペレータの入力に基づいてステップＳ１で絞り込まれた織機２を順次選択する。
ここで、例えば、参照先の織機２として「００１」の織機２が選択された後に、オペレータにより選択ボタン７３が２回押される場合を考える。
【００４７】
まず、オペレータにより選択ボタン７３が１回押されると、選択領域７２に表示される「００１」の文字が青から黒に変わり、「００２」の文字が黒から青に変わる。そして、図１０の画面１００に表示される操作用ページ３１−００１が「００２」の操作用ページ３１に切り替る。
【００４８】
次に、オペレータによりさらに選択ボタン７３が１回押されると、選択領域７２に表示される「００２」の文字が青から黒に変わり、「００３」の文字が黒から青に変わる。そして、図１０の画面１００に表示される「００２」の操作用ページ３１が「００３」の操作用ページ３１に切り替る。
【００４９】
すなわち、オペレータにより選択ボタン７３が押されると、選択領域７２に表示される織機２が上から下へ、例えば、「００１」、「００２」、「００３」、・・・と順次選択されていく。
また、オペレータにより選択ボタン７４が押されると、選択領域７２に表示される織機２が下から上へ、例えば、「００５」、「００４」、「００３」・・・と順次選択されていく。
【００５０】
なお、画面参照装置４は、例えば、オペレータにより選択ボタン７３または７４が押されて選択された全ての織機２に対応する全ての画面を表示するように構成してもよい。
このように、参照元の織機２を選択してその参照元の織機２に表示されるべき画面のうちオペレータが参照を希望する画面を表示し、さらに参照先の織機２を選択するだけで、参照先の織機２において画面を選択しなくても、自動的にオペレータが参照を希望する画面に対応する参照先の織機２の画面を表示することができるので、オペレータは参照元の織機２に表示される画面や参照先の織機２に表示される画面を個々に解析していく必要がなくなる。
【００５１】
これにより、各織機２それぞれの過去の設定値などを記録しなくても、参照元の基準となる表示画面と参照元の表示画面と階層的に対応する参照先の表示画面とを瞬時に見比べることができ、オペレータは容易に織機２の設定値などを変更することができるので、織機２の設定値などを管理する管理システムに高価なエキスパートシステムや大規模なデータベースが必要なくなり、管理システムを構築するためのコストを抑えることができる。
【００５２】
また、各織機２それぞれの過去の設定値を記録しなくても、オペレータによって容易に織機２の設定値などを変更することができるので、織機２で生産される製品の数が少ない場合でも各織機２それぞれの設定値などの解析を行うことができ、織機２における異常の発見や異常原因の対策を支援することができる。
【００５３】
また、例えば、参照元の織機２を頻繁に故障や停止が起こる織機２とし、参照先の織機２を生産効率がよく、故障や停止が起こりにくい織機２とすることにより、オペレータは、参照元の織機２の設定値などを参照先の織機２の設定値に変更することができるので、参照元の織機２の生産効率を向上させたり、故障や停止を抑えることができる。
【００５４】
なお、上記実施形態では、画面参照装置４において参照元の織機２に表示される画面と参照先の織機２に表示される画面とを表示させる構成であるが、ある織機２において参照先の織機２に表示されるべき画面のうち上記ある織機２が表示していた画面（第１の画面）に対応する画面（第２の画面）を表示させるように構成してもよい。
【００５５】
例えば、「００４」の織機２において他の織機２に表示される画面を表示させる場合を考える。
図１１は、「００４」の織機２において他の織機２に表示される画面を表示させる際に、「００４」の織機２の制御装置３（以下、単に「００４」の織機２という）に表示される画面の一例を示す図である。
【００５６】
図１１に示す「００４」の織機２には操作用ページ３１−００４が表示されている。また、操作用ページ３１−００４には相互参照ボタン１１０が表示されている。そして、オペレータにより相互参照ボタン１１０が押されると次の画面に切り替る。
図１２は、オペレータにより相互参照ボタン１１０が押された後の「００４」の織機２に表示される画面の一例を示す図である。
【００５７】
図１２に示す「００４」の織機２には選択ウィンドウ画面１２０が表示されている。また、選択ウィンドウ画面１２０にはリンクボタン１２１が多数表示されている。各リンクボタン１２１には各織機２の機台名が示され、それぞれの織機２にリンクしている。そして、オペレータによりあるリンクボタン１２１が押されると、その押されたリンクボタン１２１に対応する織機２に表示される画面が「００４」の織機２に表示される。
【００５８】
ここで、例えば、オペレータにより「００１」の織機２に対応するリンクボタン１２１が押された場合を考える。
図１３は、オペレータにより「００１」の織機２に対応するリンクボタン１２１が押された後の「００４」の織機２に表示される画面の一例を示す図である。
【００５９】
図１３に示すように、「００４」の織機２には「００１」の織機２の操作用ページ３１−００１が表示されている。
そして、オペレータにより「００１」の織機２の操作用ページ３１−００１の参照・比較が終了すると、「００４」の織機２は、操作用ページ３１−００４を表示する。
【００６０】
すなわち、例えば、図４に示すデータベース４０を図１に示す記録部６に記録しておき、「００４」の織機２は、選択ウィンドウ画面１２０においてオペレータにより参照先の織機２として「００１」の織機２が選択されると、図４に示すデータベース４０のレコード４１−１の操作用ページ領域４９に記録されるコンテンツパスにアクセスし、操作用ページ３１−００１を「００１」の織機２の端末装置３からダウンロードして表示するように構成してもよい。
【００６１】
このように、ある織機２において他の織機２の画面を表示させることにより、オペレータは２つの織機２にそれぞれ表示される画面を参照比較することができるので、画面参照装置４を省略することができ、その分生産システム１の構築にかかるコストを抑えることができる。
【００６２】
なお、参照先の織機２が選択された後、オペレータの入力によりその選択された参照先の織機２の設定値が参照元となる織機２の記録部６にコピーされるように構成してもよい。
また、「００４」の織機２に上記絞込みウィンドウ画面６１が表示されるように構成してもよい。すなわち、例えば、「００４」の織機２において参照先の織機２を絞込みウィンドウ画面６１で絞り込み、絞り込んだ結果を選択ウィンドウ画面１２０に表示するように構成してもよい。
【００６３】
また、例えば、「００４」の織機２において、絞込みウィンドウ画面６１、選択ウィンドウ画面１２０、「００４」の織機２の画面、及び参照先の織機２の画面のうち２以上の画面が表示されるように構成してもよい。
また、上記実施形態では、画面参照装置４において、参照元の織機２の画面を１つ表示させる構成であるが、参照元の織機２の画面を２つ以上表示させるように構成してもよい。
【００６４】
また、上記実施形態では、参照元の織機２を選択する前に絞込みウィンドウ画面６１により織機２を絞り込む構成であるが、参照先の織機２を選択する前に絞込みウィンドウ画面６１により織機２を絞り込むように構成してもよい。
また、上記実施形態では、絞込みウィンドウ画面６１により織機２を絞り込んでから参照元の織機２または参照先の織機２を選択する構成であるが、織機２を絞り込まずに参照元の織機２または参照先の織機２を選択するように構成してもよい。すなわち、絞込みウィンドウ画面６１を使用せずに、選択ウィンドウ画面７１だけを使用して参照元の織機２の画面及び参照先の織機２の画面を表示させるように構成してもよい。
【図面の簡単な説明】
【００６５】
【図１】本発明の実施形態の画面参照装置を備える生産システムを示す図である。
【図２】制御装置及び画面参照装置のハードウェア構成を示す図である。
【図３】制御装置に表示される画面の構成を示す図である。
【図４】画面参照装置の記録部に記録されるデータベースを示す図である。
【図５】画面参照装置における動作を説明するためのフローチャートである。
【図６】画面参照装置に表示される画面の一例を示す図である。
【図７】画面参照装置に表示される画面の一例を示す図である。
【図８】画面参照装置に表示される画面の一例を示す図である。
【図９】画面参照装置に表示される画面の一例を示す図である。
【図１０】画面参照装置に表示される画面の一例を示す図である。
【図１１】制御装置に表示される画面の一例を示す図である。
【図１２】制御装置に表示される画面の一例を示す図である。
【図１３】制御装置に表示される画面の一例を示す図である。
【符号の説明】
【００６６】
１        生産システム
２        織機
３        制御装置
４        画面参照装置
５        ネットワーク
６、７    記録部
２０        ＣＰＵ
２１        メモリ
２２        入力装置
２３        出力装置
２４        外部記録装置
２５        媒体駆動装置
２６        ネットワーク接続装置
２７        バス
２８        可搬記録媒体
３０        メインページ
３１        操作用ページ
３２        設定用ページ
３３        モニタ用ページ
３４〜３９  子のページ
４０        データベース
４１        レコード
４２        機台名領域
４３        アドレス領域
４４        状態領域
４５        品種領域
４６        効率領域
４７        不良率領域
４８        メインページ領域
４９        操作用ページ領域
５０        子のページ領域
６０        画面
６１        絞込みウィンドウ画面
６２〜６４  選択領域
６５        入力枠
６６        選択領域
６７        入力枠
６８        絞込みボタン
７０        画面
７１        選択ウィンドウ画面
７２        選択領域
７３、７４  選択ボタン
８０        画面
８１        切替ボタン
９０        画面
１００        画面
１１０        相互参照ボタン
１２０        選択ウィンドウ画面
１２１        リンクボタン
【図１】
2005301916.tif 000003
【図２】
2005301916.tif 000004
【図３】
2005301916.tif 000005
【図４】
2005301916.tif 000006
【図５】
2005301916.tif 000007
【図６】
2005301916.tif 000008
【図７】
2005301916.tif 000009
【図８】
2005301916.tif 000010
【図９】
2005301916.tif 000011
【図１０】
2005301916.tif 000012
【図１１】
2005301916.tif 000013
【図１２】
2005301916.tif 000014
【図１３】
2005301916.tif 000015